(57)【要約】【課題】光輝色彩見本のための新規な光輝色彩体系を提供し、デザインするときの光輝色彩の決定が、光輝色彩の有する三次元的発色効果をイメージしながら容易に行えるようにするとともに、決定した光輝色彩を容易に再現できるようにする。【解決手段】塗料に光輝顔料を混入して得た光輝塗料からなる光輝色彩見本１１を備えた光輝色彩見本票２１であって、前記塗料と光輝顔料の混入率の違いにより光輝色彩が異なる複数の前記光輝色彩見本１１を有し、これら光輝色彩見本１１が、明度を縦軸にし、光輝感を横軸にして、光輝色彩が段階的に推移するようにマトリクス状に配設された光輝色彩見本票２１。【選択図】図１
2011001477.tif 000002
【特許請求の範囲】
【請求項１】
塗料に光輝顔料を混入して得た光輝塗料からなる光輝色彩見本を備えた光輝色彩見本票であって、
前記光輝顔料の混入率又は種類が異なる複数の光輝色彩見本を有し、
これら光輝色彩見本が、光輝色彩の類似順に従って段階的に配設された
光輝色彩見本票。
【請求項２】
前記光輝色彩見本が、純色の塗料に光輝顔料を混入したものから暗清色の塗料に光輝顔料を混入したものまで、明度の順に従って段階的に配設された
請求項１に記載の光輝色彩見本票。
【請求項３】
前記光輝顔料が、メタリック発色のための光輝顔料であって、
該光輝顔料の混入率の違いにより光輝色彩が異なる複数の前記光輝色彩見本を有し、
これら光輝色彩見本が、前記光輝顔料の混入率を基準にして、光輝色彩が段階的に推移するように配設された
請求項１または請求項２に記載の光輝色彩見本票。
【請求項４】
前記光輝顔料が、メタリック発色のための光輝顔料であって、
種類または色が異なる前記光輝顔料が混入されて光輝色彩が異なる複数の前記光輝色彩見本を有し、
該光輝色彩見本が、明度及び／又は前記光輝顔料の種類または色を基準として、光輝色彩が段階的に推移するように配設された
請求項１または請求項２に記載の光輝色彩見本票。
【請求項５】
前記光輝顔料が、パール発色のための光輝顔料であって、
該光輝顔料が混入されて光輝色彩が異なる複数の前記光輝色彩見本を有し、
該光輝色彩見本が、色相を基準として、光輝色彩が段階的に推移するように配設された
請求項１または請求項２に記載の光輝色彩見本票。
【請求項６】
前記光輝顔料が、パール発色のための光輝顔料であって、
種類または色が異なる前記光輝顔料が混入されて光輝色彩が異なる複数の前記光輝色彩見本を有し、
該光輝色彩見本が、明度及び／又は前記光輝顔料の種類または色を基準として、光輝色彩が段階的に推移するように配設された
請求項１または請求項２に記載の光輝色彩見本票。
【請求項７】
前記光輝顔料が、干渉色発色のための光輝顔料であって、
種類または色が異なる前記光輝顔料が混入されて光輝色彩が異なる複数の前記光輝色彩見本を有し、
該光輝色彩見本が、明度及び／又は前記光輝顔料の種類または色を基準として、光輝色彩が段階的に推移するように配設された
請求項１または請求項２に記載の光輝色彩見本票。
【請求項８】
前記光輝色彩見本に、組み合わせることで隣接する光輝色彩見本との間の色を示すことのできる識別符号を付された
請求項１から請求項７のうちのいずれか一項に記載の光輝色彩見本票。
【請求項９】
前記光輝色彩見本のうち、下地を隠す隠蔽性の低いものに隠蔽性注意喚起符号が付された
請求項１から請求項８のうちのいずれか一項に記載の光輝色彩見本票。
【請求項１０】
色相環が添付された
請求項１から請求項９のうちのいずれか一項に記載の光輝色彩見本票。
【請求項１１】
前記光輝色彩見本が縦軸と横軸の２軸に沿って配設されて前記光輝色彩見本票が設けられるとともに、これらの光輝色彩見本票が複数備えられた
光輝色彩見本帳。
【発明の詳細な説明】
【技術分野】
【０００１】
この発明は、たとえば自動車や家電製品、ＩＴ関連機器などをはじめとする各種の工業用デザイン、その他の各種デザインにおいて用いられる塗料による塗装意匠性（意匠性とは、色彩、光輝感性及び表層状態の組み合わせによって得られる塗膜の質感をいう。）の決定に好適な光輝色彩見本票に関し、より詳しくは、メタリックやパールのような光輝色彩の意匠性デザインの決定に資するような光輝色彩見本票および光輝色彩見本帳に関する。
【背景技術】
【０００２】
これまで、光輝色彩の体系的な色彩見本は無かった。【０００３】
下記特許文献１には、既存の光輝色彩を再現することを目的とする調色用光輝色彩に関して、測色計を用いずともメタリック感などの光輝感を判定でき、コンピュータ調色できるようにするため、光学的測定機によって測定されたハイライトの粒子感（ＨＧ）及びハイライトのキラキラ感（ＨＢ）の測定値であるミクロ光輝感の測定値によって分類された光輝感見本色票が開示されている。しかし、これは光輝色彩の体系的な色彩見本ではなく、創造を目的とする意匠性デザインにおいて所望する光輝色彩の決定には利用できない。【０００４】
光輝色彩は、特有の三次元的発色効果を有しているため無限な意匠性を現し、それを的確に把握することは困難で、光輝色彩の決定には、従前通り、塗装された既成の光輝色彩を参考にして色彩イメージを想像し、光輝材と塗料を組み合わせて光輝塗料を試作して塗装するという作業を繰り返して、所望の光輝色彩を決定するほかなかった。しかし、参考とする光輝色彩の処方が大抵の場合不明であるので、デザインイメージと現実の印象との乖離が大きく、目標の光輝色彩を得るには多大な労力と費用がかかるものであった。【０００５】
これまで光輝色彩領域の体系的な光輝色彩見本がなかったので、光輝意匠性を相対的に比較判断することもできず、結果的に光輝色彩の選択の幅も狭まっていた。【０００６】
さらに、参考とする既成の光輝色彩は単一に存在しているだけであるので、カラーイメージの創造に不可欠な目標色域における周辺領域の色彩を認識しにくく、必然的に余分な試みを行うことになっていた。
【先行技術文献】
【特許文献】
【０００７】
【特許文献１】日本特許第４２３４９６３号公報
【発明の概要】
【発明が解決しようとする課題】
【０００８】
この発明は、光輝色彩見本のための新規な光輝色彩体系を提供し、デザインするときの光輝色彩の決定が、光輝色彩の有する三次元的発色効果をイメージしながら容易に行えるようにすることを主たる目的とする。また、決定した光輝色彩を容易に再現できるようにすることも課題とする。
【課題を解決するための手段】
【０００９】
上記の課題を解決するための手段は、塗料に光輝顔料を混入して得た光輝塗料からなる光輝色彩見本を備えた光輝色彩見本票であって、前記光輝顔料の混入率又は種類が異なる複数の光輝色彩見本を有し、これら光輝色彩見本が、光輝色彩の類似順に従って段階的に配設された光輝色彩見本票である。【００１０】
ここで、「光輝色彩」とは、光輝色み感を含む広い意味で、色彩、光輝感性、質感によって得られる光輝意匠性のことである。また、「配設」とは、同一平面上に並べることと、重ねることを含む意味である。【００１１】
前記光輝色彩見本は、純色の塗料に光輝顔料を混入したものから暗清色の塗料に光輝顔料を混入したものまで、明度の順に従って段階的に配設されるとよい。【００１２】
また、前記光輝顔料には、メタリック発色のための光輝顔料やパール発色のための光輝顔料が用いられ、該光輝顔料の混入率や種類、色の違いにより光輝色彩が異なる複数の前記光輝色彩見本得る。これらの光輝色彩見本は、光輝色彩が段階的に推移するように、上記明度のほか、必要に応じて、光輝顔料の混入率、種類、色を基準として配設される。目的、使い勝手に応じて、様々な配列にすることができる。【００１３】
前記光輝色彩見本には、組み合わせることで隣接する光輝色彩見本との間の色を示すことのできる識別符号を付すとよい。識別符号を付与することで光輝色彩見本の間に位置する具体的に表されていない色を示すことができる。【００１４】
前記光輝色彩見本のうち、下地を隠す隠蔽性の低いものに隠蔽性注意喚起符号が付された光輝色彩見本票であるもよい。光輝色彩の選択に際して、工業生産において塗装技術面で問題が生じると懸念されるものを予め認識するのに役立つ。【００１５】
色相環が添付されるとよい。色相環と前記の光輝色彩見本票によって、光輝色彩の体系を把握しやすくなる。【００１６】
前記光輝色彩見本が縦軸と横軸の２軸に沿って配設されて前記光輝色彩見本票が設けられるとともに、これらの光輝色彩見本票が複数備えられた光輝色彩見本帳であるとよい。ここで、「備えられた」とは、綴ったものはもちろん、単に重ねたりして集合させたものも含む意味である。
【発明の効果】
【００１７】
この発明によれば、デザインするときの光輝色彩の決定が、光輝色彩の有する三次元的発色効果をイメージしながら容易に行えるようにすることができる。また、光輝色彩見本は段階的に配設されているので、各光輝色彩見本の塗料と光輝顔料の配合が光輝色彩見本ごとに分かるようにしておけば、決定した光輝色彩を容易に再現できる。光輝色彩見本の間に位置する具体的に表されていない色の場合でも、その色を、再現する如くに容易に製造することができる。
【図面の簡単な説明】
【００１８】
【図１】光輝色彩見本票の平面図。
【図２】図１の光輝色彩見本票の概念を説明する説明図。
【図３】色相環の見本票の平面図。
【図４】光輝顔料の種類と特性を示す注解票の平面図。
【図５】光輝色彩見本票の平面図。
【図６】光輝色彩見本票の平面図。
【図７】光輝色彩見本票の平面図。
【図８】光輝色彩見本票の平面図。
【図９】光輝色彩見本票の平面図。
【図１０】光輝色彩見本票の平面図。
【図１１】図１０の光輝色彩見本票の概念を説明する説明図。
【図１２】光輝顔料の種類と特性を示す注解票の平面図。
【図１３】光輝色彩見本票の平面図。
【図１４】光輝色彩見本票の平面図。
【図１５】光輝色彩見本票の平面図。
【図１６】光輝色彩見本帳の斜視図。
【図１７】光輝色彩見本帳の他の例を示す説明図。
【図１８】光輝色彩見本帳の他の例を示す斜視図。
【発明を実施するための形態】
【００１９】
この発明を実施するための一形態を、以下図面を用いて説明する。  
図１は、塗料に光輝顔料を混入して得た光輝塗料を紙や金属板、プラスチック板などの適宜の基材に塗布してなる光輝色彩見本１１を備えた光輝色彩見本票２１の一例を示す平面図であり、複数の光輝色彩見本１１が光輝色彩の類似順に従って縦横に段階的に配設されている。そして、各光輝色彩見本１１には、それぞれ固有の識別符号１２が付され、前記塗料と光輝顔料の混入率や種類等を特定できるようにされている。すなわち、識別符号ごとに、対応する色の塗料を作製するための調色データが別途に蓄積されている。
【００２０】
光輝色彩見本１１は、上述したように紙等の基材の上に塗料を塗布して構成されるが、このときの塗膜厚は、製品の塗装条件を的確に確認できるようにすべく、産業界で主に採用されている平均塗膜厚に設定されるのが好ましい。
【００２１】
図１の光輝色彩見本票２１は、光輝顔料がメタリック発色のための光輝顔料の一例としてのアルミニウム顔料を用いたメタリック系光輝色彩見本票２１である。各光輝色彩見本１１の配列は、縦軸が暗清色の明度、横軸が光輝顔料の混入率となるように、色相ごと、また光輝顔料の種類ごとになれさている。光輝顔料としてのアルミニウム顔料には、金属そのもののアルミニウムフレークのほか、色彩顔料や染料で被覆着色されたアルミニウムフレークもあり、上述と同様に使用される。
【００２２】
すなわち、図１に示した例では、色相が赤（Ｒ−Ｃｏｌｏｒ  ａｒｅａ）であるメタリック系の光輝色彩見本票２１を示し、純色の赤に光輝色彩効果を表現するのに最も少ない混入率で光輝顔料を混入した光輝色彩見本１１を左上に配置して、その下（縦軸）に、段階的に黒の塗料を増やした、光輝感が同じで明度が異なる暗清色の光輝色見本１１を明度が段階的に推移するように並べ、これらの右側（横軸）に、段階的に光輝顔料の混入量を増やした、明度が同じで光輝色彩のみを変化させた光輝色彩見本１１を光輝色み感（光輝色彩の色みや、光輝顔料の金属光輝感）が段階的に推移するように並べている。
【００２３】
図示例では、明度階調を６段階、光輝色み感の階調を８段階としているが、その他の数の階調に分けることもできる。各明度階調および各光輝色み感階調は、色相や光輝顔料の種類等に応じて適宜定められる。
【００２４】
また、各明度階調（縦軸）には、左上のものから順に、「１１」、「２２」、……「６６」と、同一符号を２つ並べて構成する明度符号１３が付される。同様に、各光輝色み感階調（横軸）には、左上のものから順に、「ＡＡ」、「ＢＢ」、……「ＨＨ」と、同一符号を２つ並べて構成する光輝色み感符号１４が付されている。これは、組み合わせることで隣接する光輝色彩見本１１との間の中間色を示すことができるようにするためである。
【００２５】
これらの明度符号１３および光輝色み感符号１４と前記の色相を表す色相符号１５を組み合わせたものが、前記識別符号１２となる。色相が赤（色相符号は「１０」）である場合には、識別符号１２は、赤を示す「１０」と、メタリックであることを示す「Ｍ」（たとえば、パール顔料は「Ｐ」）と光輝顔料の種類を示す「Ｗ」（たとえば、着色系は「Ｃ」、干渉色系は「Ｔ」など）とを組み合わせて、「ＭＷ１０−１１ＡＡ」、「ＭＷ１０−６６ＨＨ」などとなる。光輝顔料が複数種類ある場合には、色彩の具体的な特定に際しては、上記「ＭＷ１０−１１ＡＡ」に光輝顔料の特定も必要となる。このため、「ＭＷ１０−１１ＡＡ」に、光輝顔料を特定する顔料符号１６、たとえば「ＡＷ０１」を付加して、「ＭＷ１０−１１ＡＡ−ＡＷ０１」となる。
【００２６】
また、下地を隠す隠蔽性の低い見本については、「●」の隠蔽性注意喚起符号１７を付している。隠蔽性が低いと色彩性能を十分に発揮させることができないためである。隠蔽性注意喚起符号１７の存在によって色の選択においての注意を喚起できる。
【００２７】
前記識別符号１２の概念を説明すると、図２に示したようになる。この図において、色相を示す色相符号１５、つまり前記の例「ＭＷ１０−１１ＡＡ」における「ＭＷ１０」は省略している。また、光輝色彩見本１１がある識別符号１２は四角で囲んでいる。図２では、光輝色彩体系の根幹をなす共通のカラートーンを示しており、これに前述の色相符号および光輝顔料の種類の識別情報を付与することによって、さらに特定のメタリック光輝色彩を特定することができるように意図している。
【００２８】
すなわち、光輝色彩見本１１は光輝色彩の類似順に前述のように段階的に並んでいるので、所望の色がない場合には、それを作る必要がある。このとき、たとえば光輝色み感は「ＡＡ」でよいが、明度が「２２」と「２３」の間であるとよいと考える場合には、「２３ＡＡ」という識別符号１２を決めることができる。同様に、光輝色み感は「ＤＤ」と「ＥＥ」の中間がよいが、明度は「３３」と「４４」の中間が良いと考える場合には、「３４ＤＥ」という識別符号１２を決めることができる。
【００２９】
このため、光輝色彩見本１１によって実際に表されている色は勿論のこと、無い色であっても中間値として顕在化させることができる。そして顕在化された色は、識別符号１２に基づいて、塗料や光輝顔料の混入率等が予め作成された前述の調色データを拠り所として得られるので、周知のコンピュータ計量調色を用いて適切に塗料を製造することができる。
【００３０】
また、この光輝色彩見本票２１は、前述のように明度変化させたベースカラーに光輝顔料を加えることによって光輝色彩独特のトーンマトリックス体系を作り出しているので、立体的に変化する光輝色彩でも表現でき、新しい色彩の創造・開発にも役立つ。
【００３１】
なお、上記の光輝色彩見本票２１には、図３に示すような色相（Ｈｕｅ）を示した色彩見本票２２と、図４に示したように光輝顔料の種類と特性を示す光輝顔料注解票２３と、図５〜図９に示したような光輝顔料ごとの違いを示す光輝色彩見本票２４を添付する。
【００３２】
図３の色彩見本票２２には、色相環２２ａを等間隔に１０等分した色彩の色彩見本２２ｂが配設されている。色彩見本票２２の色相環は、上記の光輝色彩見本票２１に設けられるもよい。図４の光輝顔料注解票２３にも、光輝見本を付するようにしてもよい。
【００３３】
図４の光輝顔料注解票２３では、アルミニウム顔料の粒度（Ｐａｒｔｉｃｌｅ）を縦軸に、白さ（Ｗｈｉｔｅｎｅｓｓ）を横軸にして、どの種類の光輝顔料がどの程度の粒度と白さを有するのかが視覚的に分かり易いように升目上に表している。また、それぞれのアルミニウム顔料について、光を正反射するハイライト部と光反射角度で変化するシェード部とのコントラストを表すパラメータとなるＦｌｉｐ−Ｆｌｏｐも、順に一列に並べて容易に視認できるように表示されている。また、着色アルミニウム顔料については、その色相（Ｈｕｅ）がどの程度であるのかが分かるように順に一列に並べて表示している。
【００３４】
図５は、アルミニウム顔料と黒の混色による光輝色彩の無彩色の明度階調の光輝色彩見本１１が配設された基準票としての光輝色彩見本票２４の平面図である。図中、１４は光輝色み感符号である。明度階調（明度符号１３参照）は、純粋な無彩色と実用性の高い僅かに色みを有するカラードグレーの階調を表すことができる。
【００３５】
図６は、その光輝顔料の種類（縦軸）と色相（横軸）に従って光輝色彩見本１１が配設された光輝色彩見本票２４の平面図である。図中、１５は色相符号である。これにより同一のベースカラーと異なった種類のアルミニウム顔料とを混色することによって、現れてくる質感の違いを観察することができ、所望のカラーイメージと具体的に対照することができる。
【００３６】
図７は、着色アルミニウム顔料と黒の混色による、低明度領域を示す光輝色彩見本１１が配設された光輝色彩見本票２４の平面図である。
【００３７】
図８は、光輝顔料としての着色アルミニウム顔料の種類（縦軸）と色相（横軸）に従って光輝色彩見本１１が配設された光輝色彩見本票２４の平面図である。図中、１５は色相符号である。これにより、着色アルミニウム顔料を色材として使用することにより一般顔料との混色による混色色彩を観察することができ、所望のカラーイメージと具体的に対照することができる。
【００３８】
図９は、光輝顔料としてアルミニウム顔料と着色アルミニウム顔料を混合して用いた場合の、光輝顔料の種類（縦軸）と混入率（横軸）に従って光輝色彩見本１１が配設された光輝色彩見本票２４の平面図である。図中、１４は光輝色み感符号、１６は顔料符号である。
【００３９】
図５〜図８の光輝色彩見本票２４において、縦軸の左端には、光輝顔料の光輝特性を示す光輝見本２４ａを付している。図９の光輝色彩見本票２４においては、縦軸の左右両側にそれぞれ、アルミニウム顔料を用いた光輝見本２４ａと着色アルミニウム顔料を用いた光輝見本２４ａが配設されている。
【００４０】
前述の光輝色彩見本票２１にこのような見本票２２，２３，２４などを添付すると、光輝色彩のイメージを三次元的に把握することが容易にでき、所望する光輝色彩の選定や開発に大きく貢献する。
【００４１】
これらの他に、図１０に示したような光輝色彩見本票２５を添付することもできる。  
図１０に示した光輝色彩見本票２５も、前述の図１に示した光輝色彩見本票２１と同様に、複数の光輝色彩見本１１が外観の類似順に従って縦横に段階的に配設されている。そして、各光輝色彩見本１１には、それぞれ固有の識別符号１２が付され、前記塗料と光輝顔料の種類等を特定できるようにされている。すなわち、識別符号１２ごとに、対応する色の塗料を作製するための調色データが別途に蓄積されている。
【００４２】
光輝色彩見本１１の塗膜厚についても前述と同様で、産業界で主に採用されている平均塗膜厚であるのが好ましい。
【００４３】
図１の光輝色彩見本票２１は、メタリック系の光輝色彩見本票２１であったのに対して、図１０に例示した光輝色彩見本票２５は、光輝顔料がホワイトシルバー系パール顔料を用いたパール系光輝色彩見本票２５である。各光輝色彩見本１１の配列は、縦軸が暗清色の明度、横軸が色相となるように、光輝顔料の種類ごとになれさている。光輝顔料としてのパール顔料には、上記のホワイトシルバー系のほか、着色された着色系や偏光性の干渉色系のものなどもあり、同様に使用される。
【００４４】
すなわち、図１０に示した例では、ホワイトシルバー系パール顔料の一例である「ＰＷ０１」（顔料符号１６参照）を用いたパール系の光輝色彩見本票２５を示し、純色の赤（１０）に所定量の光輝顔料を混入した光輝色彩見本１１を左上に配置して、その下に、段階的に黒の塗料を増やした、明度が異なる暗清色の光輝色彩見本１１を、明度が段階的に推移するように並べ、これらの右側に、色相を段階的に異にした色相の異なる光輝色彩見本１１を色相が段階的に推移するように並べている。
【００４５】
図示例では、明度階調を６段階、色相の階調を１０段階としているが、その他の数の階調に分けることもできる。各明度階調および色相階調は、色相や光輝顔料の種類等に応じて適宜定められる。
【００４６】
また、各明度階調（縦軸）には、左上のものから順に、「１１」、「２２」、……「６６」と、同一符号を２つ並べて構成する明度符号１３が付される。同様に、各色相階調（横軸）には、左上のものから順に、「１０」、「２０」、……「００」と、同一符号を２つ並べて構成する色相符号１５が付されている。これは、前述と同様に、組み合わせることで隣接する光輝色彩見本との間の色を示すことができるようにするためである。なお、色相は色相環を構成するものであるので、両端、すなわち「００」と「１０」の間の色も観念できる。
【００４７】
これらの明度符号１３および色相符号１５を組み合わせたものが、前記識別符号１２となる。すなわち、識別符号１２は、明度を示す「１１」等と色相を示す「１０」等を結合して表される。つまり、「１１１０」、「６６００」などとなる。光輝顔料が複数種類ある場合には、色彩の具体的な特定に際しては、上記「１１１０」等に加えて、光輝顔料の特定も必要となる。このため、「１１１０」に、光輝顔料を特定する顔料符号１６、たとえば「ＰＷ０１」を付加して、「ＰＷ０１−１１１０」等となる。
【００４８】
前記識別符号１２の概念を説明すると、図１１に示したようになる。この図において、光輝色彩見本１１がある符号は四角で囲んでいる。図１１では、色相とカラートーンとの関係によってもたらされる基本的な光輝色彩体系を示しており、これに光輝顔料の識別情報を付与することによって、さらに特定のパール光輝色彩を特定することができるように意図している。
【００４９】
すなわち、光輝色彩見本１１は類似順に前述のように段階的に並んでいるので、所望の色がない場合には、それを作る必要がある。このとき、たとえば色相は「１０」でよいが、明度が「２２」と「２３」の間であるとよいと考える場合には、「２３１０」という識別符号１２を決めることができる。同様に、色相は「５０」と「６０」の間がよいが、明度は「３３」と「４４」の間が良いと考える場合には、「３４５６」という識別符号１２を決めることができる。また、色相は「１０」と「００」の間が良いが、明度は「３３」と「４４」の間が良いと考える場合には、「３４０１」という識別符号１２を決めることができる。
【００５０】
このため、光輝色彩見本１１によって実際に表されている色は勿論のこと、無い色であっても中間値として顕在化させることができる。そして顕在化された色は、識別符号１２に基づいて、塗料や光輝顔料の混入率等が予め作成された前述の調色データを拠り所として得られるので、周知のコンピュータ計量調色を用いて塗料を製造することができる。
【００５１】
また、この光輝色彩見本票２５は、明度変化させたベースカラーに光輝顔料を加えることによって光輝色彩独特のトーンマトリックス体系を作り出しているので、立体的に変化する光輝色彩でも表現でき、新しい色彩の創造・開発にも役立つ。
【００５２】
なお、上記の光輝色彩見本票２５には、図１２に示したように光輝顔料の種類と特性を示す光輝注解票２６と、図１３〜図１５に示したような光輝顔料ごとの違いを示す光輝色彩見本票２７を添付する。
【００５３】
図１２の光輝顔料注解票２６では、ホワイトシルバー系パール顔料の粒度（Ｐａｒｔｉｃｌｅ）を縦軸に、白さ（Ｗｈｉｔｅｎｅｓｓ）を横軸にして、どの種類の光輝顔料がどの程度の粒度と白さを有するのかが視覚的に分かり易いように升目上に表している。また、着色パール顔料については、その色相（Ｈｕｅ）がどの程度であるのかが分かるように順に一列に並べて表示している。干渉色パール顔料についても、その偏光して現れる色相（Ｈｕｅ）がどの程度であるのかが分かるように一列に並べて表示されている。この光輝顔料注解票２６にも、光輝見本を付するようにするとなお良い。
【００５４】
図１３は、光輝顔料としてホワイトシルバー系パール顔料の種類（縦軸）と色相（横軸）に従って光輝色彩見本１１が配設された基準票としての光輝色彩見本票２７の平面図である。図中、１５は色相符号である。図１４は、光輝顔料としての着色パール顔料の種類（縦軸）と色相（横軸）に従って光輝色彩見本１１が配設された光輝色彩見本票２７の平面図である。図中、１５は色相符号である。図１５は、光輝顔料として干渉色パール顔料を用いた場合の、光輝顔料の種類（縦軸）と色相（横軸）に従って光輝色彩見本１１が配設された光輝色彩見本票２７の平面図である。図中、１５は色相符号である。図１２〜図１５の光輝色彩見本票２７において、縦軸の左端には、光輝顔料の光輝特性を示す光輝見本２７ａを付している。この光輝見本２７ａは、下地を左右に２分割して、一方の下地を白、他方の下地を黒としている。
【００５５】
前述の光輝色彩見本票２５にこのような見本票２６，２７などを添付すると、光輝色彩のイメージを三次元的に把握することが容易にでき、所望する光輝色彩の選定や開発に大きく貢献する。
【００５６】
以上のような光輝色彩見本票２１等（以下、「見本票」という。）は、一つにまとめられ、あるいはいくつかに分冊された状態で綴じられて、たとえば図１６に示したような光輝色彩見本帳３１とされる。
【００５７】
図１６に示した光輝色彩見本帳３１は、いわゆるブックタイプであり、綴じ具３２ａを備えた外装部材３２に保持される。保持に際しては、綴じ具３２ａに透明フイルムからなる袋シート３３が着脱自在に綴じられ、この袋シート３３に、抜き差しできるように前記見本票３４が収納される。
【００５８】
袋シート３３によって、見本票３４の光輝色彩見本１１が汚れなどから保護されるとともに、必要に応じて見本表３４を簡単に取り出すことができる。このため、光輝色彩を十分に確認することができ、光輝色彩見本１１特有の三次元的発色効果を把握しやすい。
【００５９】
また、前述のように独特な三次元的発色効果を有する光輝色彩のイメージを容易に把握できるようにすることができ、しかも広がりのあるイメージを把握できるので、従来のような労力や費用の無駄を省き、簡易迅速に所望の光輝色彩を選定し製造することができる。
【００６０】
さらに、光輝色彩イメージの把握が的確にできるため、光輝性を相対的に比較判断することも可能になる。このため、光輝色彩の選択の幅が大幅に広がり、特に新しい色彩の開発に好適に利用できる。この結果、工業デザインの発展に多大な貢献を期待できる。
【００６１】
なお、光輝色彩見本帳３１は、たとえば、図１７に示したような扇子状の、いわゆるファンデッキタイプの見本帳にすることもできる。このとき、図１７（ａ）に示した光輝色彩見本帳３１のように、１枚の見本票３４に、たとえば明度や光輝顔料の混入率等の条件ごとに配列された複数の光輝色彩見本１１を付することも、図１７（ｂ）に示した光輝色彩見本帳３１のように１枚の見本票３４に１色の光輝色彩見本１１を付することもできる。また、これらのように台紙３４ａに光輝色彩見本１１を貼り付けて見本票３４を構成するのではなく、図１７（ｃ）に示した光輝色彩見本帳３１のように、台紙３４ａなしで光輝色彩見本１１のみで見本票３４を構成することもできる。図１７（ｂ）（ｃ）の場合には、見本票３４を綴じるときに、前述のような明度や光輝顔料の混入率などが段階的に推移するように重ねられる。
【００６２】
そのほかに、単色ごとのカードタイプなどの他の形態とすることも可能である。カードタイプの光輝色彩見本帳３１は、例えば図１８に示したように多数のカードタイプの見本票３４（光輝色彩見本１１）を適宜整列させてケース３５に収納して構成できる。図中、３５ａは仕切りを示す。単色ごとのカードタイプであれば、光輝色彩見本１１の移動や組み合わせが自由であるので、光輝色彩を含む各種の組み合わせ色によるデザインや意匠がイメージし易くなる。
【００６３】
前述の光輝色彩見本票２１，２５等では、中間色を示すことのできる識別符号１２を用いた例を示したが、たとえば、識別符号を３桁ずつの符号の組み合わせで構成すれば、中間色のほかに、いずれか一方に寄った色も特定し、製造することができる。この偏向する中間色彩を求めるために、分数による数式や特定の記号を設定することもできる。
【符号の説明】
【００６４】
１１…光輝色彩見本
１２…識別符号
１７…隠蔽性注意喚起符号
２１，２４，２５，２７…光輝色彩見本票
２２ａ…色相環
３１…光輝色彩見本帳
【図１】
2011001477.tif 000003
【図２】
2011001477.tif 000004
【図３】
2011001477.tif 000005
【図４】
2011001477.tif 000006
【図５】
2011001477.tif 000007
【図６】
2011001477.tif 000008
【図７】
2011001477.tif 000009
【図８】
2011001477.tif 000010
【図９】
2011001477.tif 000011
【図１０】
2011001477.tif 000012
【図１１】
2011001477.tif 000013
【図１２】
2011001477.tif 000014
【図１３】
2011001477.tif 000015
【図１４】
2011001477.tif 000016
【図１５】
2011001477.tif 000017
【図１６】
2011001477.tif 000018
【図１７】
2011001477.tif 000019
【図１８】
2011001477.tif 000020
【手続補正書】
【提出日】平成21年10月21日(2009.10.21)
【手続補正１】
【補正対象書類名】明細書
【補正対象項目名】全文
【補正方法】変更
【補正の内容】
【発明の詳細な説明】
【技術分野】
【０００１】
この発明は、たとえば自動車や家電製品、ＩＴ関連機器などをはじめとする各種の工業用デザイン、その他の各種デザインにおいて用いられる塗料による塗装意匠性（意匠性とは、色彩、光輝感性及び表層状態の組み合わせによって得られる塗膜の質感をいう。）の決定に好適な光輝色彩見本票に関し、より詳しくは、メタリックやパールのような光輝色彩の意匠性デザインの決定に資するような光輝色彩見本票および光輝色彩見本帳に関する。
【背景技術】
【０００２】
これまで、光輝色彩の体系的な色彩見本は無かった。
【０００３】
下記特許文献１には、既存の光輝色彩を再現することを目的とする調色用光輝色彩に関して、測色計を用いずともメタリック感などの光輝感を判定でき、コンピュータ調色できるようにするため、光学的測定機によって測定されたハイライトの粒子感（ＨＧ）及びハイライトのキラキラ感（ＨＢ）の測定値であるミクロ光輝感の測定値によって分類された光輝感見本色票が開示されている。しかし、これは光輝色彩の体系的な色彩見本ではなく、創造を目的とする意匠性デザインにおいて所望する光輝色彩の決定には利用できない。
【０００４】
光輝色彩は、特有の三次元的発色効果を有しているため無限な意匠性を現し、それを的確に把握することは困難で、光輝色彩の決定には、従前通り、塗装された既成の光輝色彩を参考にして色彩イメージを想像し、光輝材と塗料を組み合わせて光輝塗料を試作して塗装するという作業を繰り返して、所望の光輝色彩を決定するほかなかった。しかし、参考とする光輝色彩の処方が大抵の場合不明であるので、デザインイメージと現実の印象との乖離が大きく、目標の光輝色彩を得るには多大な労力と費用がかかるものであった。
【０００５】
これまで光輝色彩領域の体系的な光輝色彩見本がなかったので、光輝意匠性を相対的に比較判断することもできず、結果的に光輝色彩の選択の幅も狭まっていた。
【０００６】
さらに、参考とする既成の光輝色彩は単一に存在しているだけであるので、カラーイメージの創造に不可欠な目標色域における周辺領域の色彩を認識しにくく、必然的に余分な試みを行うことになっていた。
【先行技術文献】
【特許文献】
【０００７】
【特許文献１】日本特許第４２３４９６３号公報
【発明の概要】
【発明が解決しようとする課題】
【０００８】
この発明は、光輝色彩見本のための新規な光輝色彩体系を提供し、デザインするときの光輝色彩の決定が、光輝色彩の有する三次元的発色効果をイメージしながら容易に行えるようにすることを主たる目的とする。また、決定した光輝色彩を容易に再現できるようにすることも課題とする。
【課題を解決するための手段】
【０００９】
上記の課題を解決するための手段は、塗料に光輝顔料を混入して得た光輝塗料からなる光輝色彩見本を備えた光輝色彩見本票であって、前記塗料が、純色及び暗清色の有彩色塗料であり、前記光輝顔料の混入率又は種類が異なる複数の光輝色彩見本を有し、これら光輝色彩見本が、明度及び／又は光輝色み感に従って光輝色彩の類似順に段階的に配設され、前記各光輝色彩見本には、これら光輝色彩見本の色を識別するとともに、当該識別符号を組み合わせることで隣接する光輝色彩見本同士の間の色を示す識別符号が付された光輝色彩見本票である。
【００１０】
ここで、「光輝色彩」とは、光輝色み感を含む広い意味で、色彩、光輝感性、質感によって得られる光輝意匠性のことである。また、「配設」とは、同一平面上に並べることと、重ねることを含む意味である。
【００１１】
前記光輝色彩見本は、純色の塗料に光輝顔料を混入したものから暗清色の塗料に光輝顔料を混入したものまで、明度の順に従って段階的に配設されるとよい。
【００１２】
また、前記光輝顔料には、メタリック発色のための光輝顔料やパール発色のための光輝顔料が用いられ、該光輝顔料の混入率や種類、色の違いにより光輝色彩が異なる複数の前記光輝色彩見本を得る。これらの光輝色彩見本は、光輝色彩が段階的に推移するように、上記明度のほか、必要に応じて、光輝顔料の混入率、種類、色を基準として配設される。目的、使い勝手に応じて、様々な配列にすることができる。
【００１３】
前記各光輝色彩見本には、これら光輝色彩見本の色を識別するとともに、当該識別符号を組み合わせることで隣接する光輝色彩見本同士の間の色を示す識別符号を付したので、光輝色彩見本の間に位置する具体的に表されていない色を示すことができる。
【００１４】
前記光輝色彩見本のうち、下地を隠す隠蔽性の低いものに隠蔽性注意喚起符号が付された光輝色彩見本票であるもよい。光輝色彩の選択に際して、工業生産において塗装技術面で問題が生じると懸念されるものを予め認識するのに役立つ。
【００１５】
色相環が添付されるとよい。色相環と前記の光輝色彩見本票によって、光輝色彩の体系を把握しやすくなる。
【００１６】
前記光輝色彩見本が縦軸と横軸の２軸に沿って配設されて前記光輝色彩見本票が設けられるとともに、これらの光輝色彩見本票が複数備えられた光輝色彩見本帳であるとよい。ここで、「備えられた」とは、綴ったものはもちろん、単に重ねたりして集合させたものも含む意味である。
【発明の効果】
【００１７】
この発明によれば、デザインするときの光輝色彩の決定が、光輝色彩の有する三次元的発色効果をイメージしながら容易に行えるようにすることができる。また、光輝色彩見本は段階的に配設されているので、各光輝色彩見本の塗料と光輝顔料の配合が光輝色彩見本ごとに分かるようにしておけば、決定した光輝色彩を容易に再現できる。光輝色彩見本の間に位置する具体的に表されていない色の場合でも、その色を、再現する如くに容易に製造することができる。
【図面の簡単な説明】
【００１８】
【図１】光輝色彩見本票の平面図。
【図２】図１の光輝色彩見本票の概念を説明する説明図。
【図３】色相環の見本票の平面図。
【図４】光輝顔料の種類と特性を示す注解票の平面図。
【図５】光輝色彩見本票の平面図。
【図６】光輝色彩見本票の平面図。
【図７】光輝色彩見本票の平面図。
【図８】光輝色彩見本票の平面図。
【図９】光輝色彩見本票の平面図。
【図１０】光輝色彩見本票の平面図。
【図１１】図１０の光輝色彩見本票の概念を説明する説明図。
【図１２】光輝顔料の種類と特性を示す注解票の平面図。
【図１３】光輝色彩見本票の平面図。
【図１４】光輝色彩見本票の平面図。
【図１５】光輝色彩見本票の平面図。
【図１６】光輝色彩見本帳の斜視図。
【図１７】光輝色彩見本帳の他の例を示す説明図。
【図１８】光輝色彩見本帳の他の例を示す斜視図。
【発明を実施するための形態】
【００１９】
この発明を実施するための一形態を、以下図面を用いて説明する。  
図１は、塗料に光輝顔料を混入して得た光輝塗料を紙や金属板、プラスチック板などの適宜の基材に塗布してなる光輝色彩見本１１を備えた光輝色彩見本票２１の一例を示す平面図であり、複数の光輝色彩見本１１が光輝色彩の類似順に従って縦横に段階的に配設されている。そして、各光輝色彩見本１１には、それぞれ固有の識別符号１２が付され、前記塗料と光輝顔料の混入率や種類等を特定できるようにされている。すなわち、識別符号ごとに、対応する色の塗料を作製するための調色データが別途に蓄積されている。
【００２０】
光輝色彩見本１１は、上述したように紙等の基材の上に塗料を塗布して構成されるが、このときの塗膜厚は、製品の塗装条件を的確に確認できるようにすべく、産業界で主に採用されている平均塗膜厚に設定されるのが好ましい。
【００２１】
図１の光輝色彩見本票２１は、光輝顔料がメタリック発色のための光輝顔料の一例としてのアルミニウム顔料を用いたメタリック系光輝色彩見本票２１である。各光輝色彩見本１１の配列は、縦軸が暗清色の明度、横軸が光輝顔料の混入率となるように、色相ごと、また光輝顔料の種類ごとになれさている。光輝顔料としてのアルミニウム顔料には、金属そのもののアルミニウムフレークのほか、色彩顔料や染料で被覆着色されたアルミニウムフレークもあり、上述と同様に使用される。
【００２２】
すなわち、図１に示した例では、色相が赤（Ｒ−Ｃｏｌｏｒ  ａｒｅａ）であるメタリック系の光輝色彩見本票２１を示し、純色の赤に光輝色彩効果を表現するのに最も少ない混入率で光輝顔料を混入した光輝色彩見本１１を左上に配置して、その下（縦軸）に、段階的に黒の塗料を増やした、光輝感が同じで明度が異なる暗清色の光輝色見本１１を明度が段階的に推移するように並べ、これらの右側（横軸）に、段階的に光輝顔料の混入量を増やした、明度が同じで光輝色彩のみを変化させた光輝色彩見本１１を光輝色み感（光輝色彩の色みや、光輝顔料の金属光輝感）が段階的に推移するように並べている。
【００２３】
図示例では、明度階調を６段階、光輝色み感の階調を８段階としているが、その他の数の階調に分けることもできる。各明度階調および各光輝色み感階調は、色相や光輝顔料の種類等に応じて適宜定められる。
【００２４】
また、各明度階調（縦軸）には、左上のものから順に、「１１」、「２２」、……「６６」と、同一符号を２つ並べて構成する明度符号１３が付される。同様に、各光輝色み感階調（横軸）には、左上のものから順に、「ＡＡ」、「ＢＢ」、……「ＨＨ」と、同一符号を２つ並べて構成する光輝色み感符号１４が付されている。これは、組み合わせることで隣接する光輝色彩見本１１との間の中間色を示すことができるようにするためである。
【００２５】
これらの明度符号１３および光輝色み感符号１４と前記の色相を表す色相符号１５を組み合わせたものが、前記識別符号１２となる。色相が赤（色相符号は「１０」）である場合には、識別符号１２は、赤を示す「１０」と、メタリックであることを示す「Ｍ」（たとえば、パール顔料は「Ｐ」）と光輝顔料の種類を示す「Ｗ」（たとえば、着色系は「Ｃ」、干渉色系は「Ｔ」など）とを組み合わせて、「ＭＷ１０−１１ＡＡ」、「ＭＷ１０−６６ＨＨ」などとなる。光輝顔料が複数種類ある場合には、色彩の具体的な特定に際しては、上記「ＭＷ１０−１１ＡＡ」に光輝顔料の特定も必要となる。このため、「ＭＷ１０−１１ＡＡ」に、光輝顔料を特定する顔料符号１６、たとえば「ＡＷ０１」を付加して、「ＭＷ１０−１１ＡＡ−ＡＷ０１」となる。
【００２６】
また、下地を隠す隠蔽性の低い見本については、「●」の隠蔽性注意喚起符号１７を付している。隠蔽性が低いと色彩性能を十分に発揮させることができないためである。隠蔽性注意喚起符号１７の存在によって色の選択においての注意を喚起できる。
【００２７】
前記識別符号１２の概念を説明すると、図２に示したようになる。この図において、色相を示す色相符号１５、つまり前記の例「ＭＷ１０−１１ＡＡ」における「ＭＷ１０」は省略している。また、光輝色彩見本１１がある識別符号１２は四角で囲んでいる。図２では、光輝色彩体系の根幹をなす共通のカラートーンを示しており、これに前述の色相符号および光輝顔料の種類の識別情報を付与することによって、さらに特定のメタリック光輝色彩を特定することができるように意図している。
【００２８】
すなわち、光輝色彩見本１１は光輝色彩の類似順に前述のように段階的に並んでいるので、所望の色がない場合には、それを作る必要がある。このとき、たとえば光輝色み感は「ＡＡ」でよいが、明度が「２２」と「３３」の間であるとよいと考える場合には、「２３ＡＡ」という識別符号１２を決めることができる。同様に、光輝色み感は「ＤＤ」と「ＥＥ」の中間が良く、明度は「３３」と「４４」の中間が良いと考える場合には、「３４ＤＥ」という識別符号１２を決めることができる。
【００２９】
このため、光輝色彩見本１１によって実際に表されている色は勿論のこと、無い色であっても中間値として顕在化させることができる。そして顕在化された色は、識別符号１２に基づいて、塗料や光輝顔料の混入率等が予め作成された前述の調色データを拠り所として得られるので、周知のコンピュータ計量調色を用いて適切に塗料を製造することができる。
【００３０】
また、この光輝色彩見本票２１は、前述のように明度変化させたベースカラーに光輝顔料を加えることによって光輝色彩独特のトーンマトリックス体系を作り出しているので、立体的に変化する光輝色彩でも表現でき、新しい色彩の創造・開発にも役立つ。
【００３１】
なお、上記の光輝色彩見本票２１には、図３に示すような色相（Ｈｕｅ）を示した色彩見本票２２と、図４に示したように光輝顔料の種類と特性を示す光輝顔料注解票２３と、図５〜図９に示したような光輝顔料ごとの違いを示す光輝色彩見本票２４を添付する。
【００３２】
図３の色彩見本票２２には、色相環２２ａを等間隔に１０等分した色彩の色彩見本２２ｂが配設されている。色彩見本票２２の色相環２２ａは、上記の光輝色彩見本票２１に設けられるもよい。図４の光輝顔料注解票２３にも、光輝見本を付するようにしてもよい。
【００３３】
図４の光輝顔料注解票２３では、アルミニウム顔料の粒度（Ｐａｒｔｉｃｌｅ）を縦軸に、白さ（Ｗｈｉｔｅｎｅｓｓ）を横軸にして、どの種類の光輝顔料がどの程度の粒度と白さを有するのかが視覚的に分かり易いように升目上に表している。また、それぞれのアルミニウム顔料について、光を正反射するハイライト部と光反射角度で変化するシェード部とのコントラストを表すパラメータとなるＦｌｉｐ−Ｆｌｏｐも、順に一列に並べて容易に視認できるように表示されている。また、着色アルミニウム顔料については、その色相（Ｈｕｅ）がどの程度であるのかが分かるように順に一列に並べて表示している。
【００３４】
図５は、アルミニウム顔料と黒の混色による光輝色彩の無彩色の明度階調の光輝色彩見本１１が配設された基準票としての光輝色彩見本票２４の平面図である。図中、１４は光輝色み感符号である。明度階調（明度符号１３参照）は、純粋な無彩色と実用性の高い僅かに色みを有するカラードグレーの階調を表すことができる。
【００３５】
図６は、その光輝顔料の種類（縦軸）と色相（横軸）に従って光輝色彩見本１１が配設された光輝色彩見本票２４の平面図である。図中、１５は色相符号である。これにより同一のベースカラーと異なった種類のアルミニウム顔料とを混色することによって、現れてくる質感の違いを観察することができ、所望のカラーイメージと具体的に対照することができる。
【００３６】
図７は、着色アルミニウム顔料と黒の混色による、低明度領域を示す光輝色彩見本１１が配設された光輝色彩見本票２４の平面図である。
【００３７】
図８は、光輝顔料としての着色アルミニウム顔料の種類（縦軸）と色相（横軸）に従って光輝色彩見本１１が配設された光輝色彩見本票２４の平面図である。図中、１５は色相符号である。これにより、着色アルミニウム顔料を色材として使用することにより一般顔料との混色による混色色彩を観察することができ、所望のカラーイメージと具体的に対照することができる。
【００３８】
図９は、光輝顔料としてアルミニウム顔料と着色アルミニウム顔料を混合して用いた場合の、光輝顔料の種類（縦軸）と混入率（横軸）に従って光輝色彩見本１１が配設された光輝色彩見本票２４の平面図である。図中、１４は光輝色み感符号、１６は顔料符号である。
【００３９】
図５〜図８の光輝色彩見本票２４において、縦軸の左端には、光輝顔料の光輝特性を示す光輝見本２４ａを付している。図９の光輝色彩見本票２４においては、縦軸の左右両側にそれぞれ、アルミニウム顔料を用いた光輝見本２４ａと着色アルミニウム顔料を用いた光輝見本２４ａが配設されている。
【００４０】
前述の光輝色彩見本票２１にこのような見本票２２，２３，２４などを添付すると、光輝色彩のイメージを三次元的に把握することが容易にでき、所望する光輝色彩の選定や開発に大きく貢献する。
【００４１】
これらの他に、図１０に示したような光輝色彩見本票２５を添付することもできる。  
図１０に示した光輝色彩見本票２５も、前述の図１に示した光輝色彩見本票２１と同様に、複数の光輝色彩見本１１が外観の類似順に従って縦横に段階的に配設されている。そして、各光輝色彩見本１１には、それぞれ固有の識別符号１２が付され、前記塗料と光輝顔料の種類等を特定できるようにされている。すなわち、識別符号１２ごとに、対応する色の塗料を作製するための調色データが別途に蓄積されている。
【００４２】
光輝色彩見本１１の塗膜厚についても前述と同様で、産業界で主に採用されている平均塗膜厚であるのが好ましい。
【００４３】
図１の光輝色彩見本票２１は、メタリック系の光輝色彩見本票２１であったのに対して、図１０に例示した光輝色彩見本票２５は、光輝顔料がホワイトシルバー系パール顔料を用いたパール系光輝色彩見本票２５である。各光輝色彩見本１１の配列は、縦軸が暗清色の明度、横軸が色相となるように、光輝顔料の種類ごとになれさている。光輝顔料としてのパール顔料には、上記のホワイトシルバー系のほか、着色された着色系や偏光性の干渉色系のものなどもあり、同様に使用される。
【００４４】
すなわち、図１０に示した例では、ホワイトシルバー系パール顔料の一例である「ＰＷ０１」（顔料符号１６参照）を用いたパール系の光輝色彩見本票２５を示し、純色の赤（１０）に所定量の光輝顔料を混入した光輝色彩見本１１を左上に配置して、その下に、段階的に黒の塗料を増やした、明度が異なる暗清色の光輝色彩見本１１を、明度が段階的に推移するように並べ、これらの右側に、色相を段階的に異にした色相の異なる光輝色彩見本１１を色相が段階的に推移するように並べている。
【００４５】
図示例では、明度階調を６段階、色相の階調を１０段階としているが、その他の数の階調に分けることもできる。各明度階調および色相階調は、色相や光輝顔料の種類等に応じて適宜定められる。
【００４６】
また、各明度階調（縦軸）には、左上のものから順に、「１１」、「２２」、……「６６」と、同一符号を２つ並べて構成する明度符号１３が付される。同様に、各色相階調（横軸）には、左上のものから順に、「１０」、「２０」、……「００」と、同一符号を２つ並べて構成する色相符号１５が付されている。これは、前述と同様に、組み合わせることで隣接する光輝色彩見本との間の色を示すことができるようにするためである。なお、色相は色相環を構成するものであるので、両端、すなわち「００」と「１０」の間の色も観念できる。
【００４７】
これらの明度符号１３および色相符号１５を組み合わせたものが、前記識別符号１２となる。すなわち、識別符号１２は、明度を示す「１１」等と色相を示す「１０」等を結合して表される。つまり、「１１１０」、「６６００」などとなる。光輝顔料が複数種類ある場合には、色彩の具体的な特定に際しては、上記「１１１０」等に加えて、光輝顔料の特定も必要となる。このため、「１１１０」に、光輝顔料を特定する顔料符号１６、たとえば「ＰＷ０１」を付加して、「ＰＷ０１−１１１０」等となる。
【００４８】
前記識別符号１２の概念を説明すると、図１１に示したようになる。この図において、光輝色彩見本１１がある符号は四角で囲んでいる。図１１では、色相とカラートーンとの関係によってもたらされる基本的な光輝色彩体系を示しており、これに光輝顔料の識別情報を付与することによって、さらに特定のパール光輝色彩を特定することができるように意図している。
【００４９】
すなわち、光輝色彩見本１１は類似順に前述のように段階的に並んでいるので、所望の色がない場合には、それを作る必要がある。このとき、たとえば色相は「１０」でよいが、明度が「２２」と「３３」の間であるとよいと考える場合には、「２３１０」という識別符号１２を決めることができる。同様に、色相は「５０」と「６０」の間が良く、明度は「３３」と「４４」の間が良いと考える場合には、「３４５６」という識別符号１２を決めることができる。また、色相は「１０」と「００」の間が良く、明度は「３３」と「４４」の間が良いと考える場合には、「３４０１」という識別符号１２を決めることができる。
【００５０】
このため、光輝色彩見本１１によって実際に表されている色は勿論のこと、無い色であっても中間値として顕在化させることができる。そして顕在化された色は、識別符号１２に基づいて、塗料や光輝顔料の混入率等が予め作成された前述の調色データを拠り所として得られるので、周知のコンピュータ計量調色を用いて塗料を製造することができる。
【００５１】
また、この光輝色彩見本票２５は、明度変化させたベースカラーに光輝顔料を加えることによって光輝色彩独特のトーンマトリックス体系を作り出しているので、立体的に変化する光輝色彩でも表現でき、新しい色彩の創造・開発にも役立つ。
【００５２】
なお、上記の光輝色彩見本票２５には、図１２に示したように光輝顔料の種類と特性を示す光輝注解票２６と、図１３〜図１５に示したような光輝顔料ごとの違いを示す光輝色彩見本票２７を添付する。
【００５３】
図１２の光輝顔料注解票２６では、ホワイトシルバー系パール顔料の粒度（Ｐａｒｔｉｃｌｅ）を縦軸に、白さ（Ｗｈｉｔｅｎｅｓｓ）を横軸にして、どの種類の光輝顔料がどの程度の粒度と白さを有するのかが視覚的に分かり易いように升目上に表している。また、着色パール顔料については、その色相（Ｈｕｅ）がどの程度であるのかが分かるように順に一列に並べて表示している。干渉色パール顔料についても、その偏光して現れる色相（Ｈｕｅ）がどの程度であるのかが分かるように一列に並べて表示されている。この光輝顔料注解票２６にも、光輝見本を付するようにするとなお良い。
【００５４】
図１３は、光輝顔料としてホワイトシルバー系パール顔料の種類（縦軸）と色相（横軸）に従って光輝色彩見本１１が配設された基準票としての光輝色彩見本票２７の平面図である。図中、１５は色相符号である。図１４は、光輝顔料としての着色パール顔料の種類（縦軸）と色相（横軸）に従って光輝色彩見本１１が配設された光輝色彩見本票２７の平面図である。図中、１５は色相符号である。図１５は、光輝顔料として干渉色パール顔料を用いた場合の、光輝顔料の種類（縦軸）と色相（横軸）に従って光輝色彩見本１１が配設された光輝色彩見本票２７の平面図である。図中、１５は色相符号である。図１２〜図１５の光輝色彩見本票２７において、縦軸の左端には、光輝顔料の光輝特性を示す光輝見本２７ａを付している。この光輝見本２７ａは、下地を左右に２分割して、一方の下地を白、他方の下地を黒としている。
【００５５】
前述の光輝色彩見本票２５にこのような見本票２６，２７などを添付すると、光輝色彩のイメージを三次元的に把握することが容易にでき、所望する光輝色彩の選定や開発に大きく貢献する。
【００５６】
以上のような光輝色彩見本票２１等（以下、「見本票」という。）は、一つにまとめられ、あるいはいくつかに分冊された状態で綴じられて、たとえば図１６に示したような光輝色彩見本帳３１とされる。
【００５７】
図１６に示した光輝色彩見本帳３１は、いわゆるブックタイプであり、綴じ具３２ａを備えた外装部材３２に保持される。保持に際しては、綴じ具３２ａに透明フイルムからなる袋シート３３が着脱自在に綴じられ、この袋シート３３に、抜き差しできるように前記見本票３４が収納される。
【００５８】
袋シート３３によって、見本票３４の光輝色彩見本１１が汚れなどから保護されるとともに、必要に応じて見本表３４を簡単に取り出すことができる。このため、光輝色彩を十分に確認することができ、光輝色彩見本１１特有の三次元的発色効果を把握しやすい。
【００５９】
また、前述のように独特な三次元的発色効果を有する光輝色彩のイメージを容易に把握できるようにすることができ、しかも広がりのあるイメージを把握できるので、従来のような労力や費用の無駄を省き、簡易迅速に所望の光輝色彩を選定し製造することができる。
【００６０】
さらに、光輝色彩イメージの把握が的確にできるため、光輝性を相対的に比較判断することも可能になる。このため、光輝色彩の選択の幅が大幅に広がり、特に新しい色彩の開発に好適に利用できる。この結果、工業デザインの発展に多大な貢献を期待できる。
【００６１】
なお、光輝色彩見本帳３１は、たとえば、図１７に示したような扇子状の、いわゆるファンデッキタイプの見本帳にすることもできる。このとき、図１７（ａ）に示した光輝色彩見本帳３１のように、１枚の見本票３４に、たとえば明度や光輝顔料の混入率等の条件ごとに配列された複数の光輝色彩見本１１を付することも、図１７（ｂ）に示した光輝色彩見本帳３１のように１枚の見本票３４に１色の光輝色彩見本１１を付することもできる。また、これらのように台紙３４ａに光輝色彩見本１１を貼り付けて見本票３４を構成するのではなく、図１７（ｃ）に示した光輝色彩見本帳３１のように、台紙３４ａなしで光輝色彩見本１１のみで見本票３４を構成することもできる。図１７（ｂ）（ｃ）の場合には、見本票３４を綴じるときに、前述のような明度や光輝顔料の混入率などが段階的に推移するように重ねられる。
【００６２】
そのほかに、単色ごとのカードタイプなどの他の形態とすることも可能である。カードタイプの光輝色彩見本帳３１は、例えば図１８に示したように多数のカードタイプの見本票３４（光輝色彩見本１１）を適宜整列させてケース３５に収納して構成できる。図中、３５ａは仕切りを示す。単色ごとのカードタイプであれば、光輝色彩見本１１の移動や組み合わせが自由であるので、光輝色彩を含む各種の組み合わせ色によるデザインや意匠がイメージし易くなる。
【００６３】
前述の光輝色彩見本票２１，２５等では、中間色を示すことのできる識別符号１２を用いた例を示したが、たとえば、識別符号を３桁ずつの符号の組み合わせで構成すれば、中間色のほかに、いずれか一方に寄った色も特定し、製造することができる。この偏向する中間色彩を求めるために、分数による数式や特定の記号を設定することもできる。
【符号の説明】
【００６４】
１１…光輝色彩見本
１２…識別符号
１７…隠蔽性注意喚起符号
２１，２４，２５，２７…光輝色彩見本票
２２ａ…色相環
３１…光輝色彩見本帳
【手続補正２】
【補正対象書類名】特許請求の範囲
【補正対象項目名】全文
【補正方法】変更
【補正の内容】
【特許請求の範囲】
【請求項１】
塗料に光輝顔料を混入して得た光輝塗料からなる光輝色彩見本を備えた光輝色彩見本票であって、
前記塗料が、純色及び暗清色の有彩色塗料であり、
前記光輝顔料の混入率又は種類が異なる複数の光輝色彩見本を有し、
これら光輝色彩見本が、明度及び／又は光輝色み感に従って光輝色彩の類似順に段階的に配設され、
前記各光輝色彩見本には、これら光輝色彩見本の色を識別するとともに、当該識別符号を組み合わせることで隣接する光輝色彩見本同士の間の色を示す識別符号が付された
光輝色彩見本票。
【請求項２】
色相ごとに設けられた
請求項１に記載の光輝色彩見本票。
【請求項３】
前記光輝色み感が色相に基づくものである
請求項１に記載の光輝色彩見本票。
【請求項４】
前記光輝顔料の種類ごとに設けられた
請求項３に記載の光輝色彩見本票。
【請求項５】
色相環が添付された
請求項１から請求項４のうちのいずれか一項に記載の光輝色彩見本票。
【請求項６】
前記請求項１から請求項５のうちいずれか一項に記載の光輝色彩見本が、縦軸と横軸の２軸に沿って配設されて前記光輝色彩見本票が設けられるとともに、これらの光輝色彩見本票が複数備えられた
光輝色彩見本帳。
【請求項７】
前記光輝顔料が、メタリック発色のためのものである
請求項１、２、５又は６に記載の光輝色彩見本帳。
【請求項８】
前記光輝材料が、パール発色又は干渉色発色のためのものである
請求項１、３−６のうちいずれか一項に記載の光輝色彩見本帳。
【手続補正３】
【補正対象書類名】図面
【補正対象項目名】図１１
【補正方法】変更
【補正の内容】
【図１１】
2011001477.tif 000021
【手続補正書】
【提出日】平成23年12月26日(2011.12.26)
【手続補正１】
【補正対象書類名】明細書
【補正対象項目名】全文
【補正方法】変更
【補正の内容】
【書類名】      明細書
【発明の名称】  光輝色彩見本票および光輝色彩見本帳
【技術分野】
【０００１】
この発明は、たとえば自動車や家電製品、ＩＴ関連機器などをはじめとする各種の工業用デザイン、その他の各種デザインにおいて用いられる塗料による塗装意匠性（意匠性とは、色彩、光輝感性及び表層状態の組み合わせによって得られる塗膜の質感をいう。）の決定に好適な光輝色彩見本票に関し、より詳しくは、メタリックやパールのような光輝色彩の意匠性デザインの決定に資するような光輝色彩見本票および光輝色彩見本帳に関する。
【背景技術】
【０００２】
これまで、光輝色彩の体系的な色彩見本は無かった。
【０００３】
下記特許文献１には、既存の光輝色彩を再現することを目的とする調色用光輝色彩に関して、測色計を用いずともメタリック感などの光輝感を判定でき、コンピュータ調色できるようにするため、光学的測定機によって測定されたハイライトの粒子感（ＨＧ）及びハイライトのキラキラ感（ＨＢ）の測定値であるミクロ光輝感の測定値によって分類された光輝感見本色票が開示されている。しかし、これは光輝色彩の体系的な色彩見本ではなく、創造を目的とする意匠性デザインにおいて所望する光輝色彩の決定には利用できない。
【０００４】
光輝色彩は、特有の三次元的発色効果を有しているため無限な意匠性を現し、それを的確に把握することは困難で、光輝色彩の決定には、従前通り、塗装された既成の光輝色彩を参考にして色彩イメージを想像し、光輝材と塗料を組み合わせて光輝塗料を試作して塗装するという作業を繰り返して、所望の光輝色彩を決定するほかなかった。しかし、参考とする光輝色彩の処方が大抵の場合不明であるので、デザインイメージと現実の印象との乖離が大きく、目標の光輝色彩を得るには多大な労力と費用がかかるものであった。
【０００５】
これまで光輝色彩領域の体系的な光輝色彩見本がなかったので、光輝意匠性を相対的に比較判断することもできず、結果的に光輝色彩の選択の幅も狭まっていた。
【０００６】
さらに、参考とする既成の光輝色彩は単一に存在しているだけであるので、カラーイメージの創造に不可欠な目標色域における周辺領域の色彩を認識しにくく、必然的に余分な試みを行うことになっていた。
【先行技術文献】
【特許文献】
【０００７】
【特許文献１】
日本特許第４２３４９６３号公報
【発明の概要】
【発明が解決しようとする課題】
【０００８】
この発明は、光輝色彩見本のための新規な光輝色彩体系を提供し、デザインするときの光輝色彩の決定が、光輝色彩の有する三次元的発色効果をイメージしながら容易に行えるようにすることを主たる目的とする。また、決定した光輝色彩を容易に再現できるようにすることも課題とする。
【課題を解決するための手段】
【０００９】
上記の課題を解決するための手段は、塗料に光輝顔料を混入して得た光輝塗料からなる光輝色彩見本を備えた光輝色彩見本票であって、前記塗料が、純色及び暗清色の有彩色塗料であるとともに、前記光輝顔料がメタリック発色のためのものであり、明度を段階的に推移させた前記塗料と、混入率を段階的に増やした前記光輝顔料で、光輝色み感が段階的に推移する複数の光輝色彩見本を備え、これら光輝色彩見本が、明度及び／又は光輝色み感に従って光輝色彩の推移順に段階的に配設され、前記各光輝色彩見本には、これら光輝色彩見本の色を識別すべく前記明度と前記光輝色み感を示す符号からなる識別符号が付された光輝色彩見本票である。
【００１０】
ここで、「光輝色彩」とは、光輝色み感を含む広い意味で、色彩、光輝感性、質感によって得られる光輝意匠性のことである。また、「配設」とは、同一平面上に並べることと、重ねることを含む意味である。
前記光輝色彩見本は縦軸と横軸の２軸に沿って明度及び光輝色み感に従って配設されるとよい。
前記識別符号は、同一符号を２つ並べて構成される前記明度と前記光輝色み感を示す符号を２つずつ並べて構成されるとよい。これら光輝色彩見本の色を識別できるとともに、当該識別符号を組み合わせることで隣接する光輝色彩見本同士の間の、具体的に表されていない色を容易に示すことができる。
前記光輝色彩見本票は、色相ごとに設けられるとよい。
別の手段は、前記光輝色彩見本票が複数設けられた光輝色彩見本帳である。ここで、「備えられた」とは、綴ったものはもちろん、単に重ねたりして集合させたものも含む意味である。
この光輝色彩見本帳には、明度と色相を段階的に推移させた純色及び暗清色の有彩色塗料に対して、パール発色又は干渉色発色の光輝顔料を混入して得た光輝塗料からなる光輝色彩見本が、明度及び／又は色相に従って光輝色彩の推移順に段階的に配設されるとともに、当該光輝色彩見本の色を識別すべく前記明度と前記色相を示す符号からなる識別符号を有する光輝色彩見本票が備えられるとよい。
また、前記光輝色彩見本帳において、前記光輝色彩見本票は、前記光輝顔料の種類ごとに設けられるとよく、色相環が添付されるとよい。色相環が添付されると、色相環と前記の光輝色彩見本票によって、光輝色彩の体系を把握しやすくなる。
【００１４】
前記光輝色彩見本のうち、下地を隠す隠蔽性の低いものに隠蔽性注意喚起符号が付された光輝色彩見本票であるもよい。光輝色彩の選択に際して、工業生産において塗装技術面で問題が生じると懸念されるものを予め認識するのに役立つ。
【発明の効果】
【００１７】
この発明によれば、デザインするときの光輝色彩の決定が、光輝色彩の有する三次元的発色効果をイメージしながら容易に行えるようにすることができる。また、光輝色彩見本は段階的に配設されているので、各光輝色彩見本の塗料と光輝顔料の配合が光輝色彩見本ごとに分かるようにしておけば、決定した光輝色彩を容易に再現できる。光輝色彩見本の間に位置する具体的に表されていない色の場合でも、その色を、再現する如くに容易に製造することができる。
【図面の簡単な説明】
【００１８】
【図１】  光輝色彩見本票の平面図。
【図２】  図１の光輝色彩見本票の概念を説明する説明図。
【図３】  色相環の見本票の平面図。
【図４】  光輝顔料の種類と特性を示す注解票の平面図。
【図５】  光輝色彩見本票の平面図。
【図６】  光輝色彩見本票の平面図。
【図７】  光輝色彩見本票の平面図。
【図８】  光輝色彩見本票の平面図。
【図９】  光輝色彩見本票の平面図。
【図１０】  光輝色彩見本票の平面図。
【図１１】  図１０の光輝色彩見本票の概念を説明する説明図。
【図１２】  光輝顔料の種類と特性を示す注解票の平面図。
【図１３】  光輝色彩見本票の平面図。
【図１４】  光輝色彩見本票の平面図。
【図１５】  光輝色彩見本票の平面図。
【図１６】  光輝色彩見本帳の斜視図。
【図１７】  光輝色彩見本帳の他の例を示す説明図。
【図１８】  光輝色彩見本帳の他の例を示す斜視図。
【発明を実施するための形態】
【００１９】
この発明を実施するための一形態を、以下図面を用いて説明する。  
図１は、塗料に光輝顔料を混入して得た光輝塗料を紙や金属板、プラスチック板などの適宜の基材に塗布してなる光輝色彩見本１１を備えた光輝色彩見本票２１の一例を示す平面図であり、複数の光輝色彩見本１１が光輝色彩の類似順に従って縦横に段階的に配設されている。そして、各光輝色彩見本１１には、それぞれ固有の識別符号１２が付され、前記塗料と光輝顔料の混入率や種類等を特定できるようにされている。すなわち、識別符号ごとに、対応する色の塗料を作製するための調色データが別途に蓄積されている。
【００２０】
光輝色彩見本１１は、上述したように紙等の基材の上に塗料を塗布して構成されるが、このときの塗膜厚は、製品の塗装条件を的確に確認できるようにすべく、産業界で主に採用されている平均塗膜厚に設定されるのが好ましい。
【００２１】
図１の光輝色彩見本票２１は、光輝顔料がメタリック発色のための光輝顔料の一例としてのアルミニウム顔料を用いたメタリック系光輝色彩見本票２１である。各光輝色彩見本１１の配列は、縦軸が暗清色の明度、横軸が光輝顔料の混入率となるように、色相ごと、また光輝顔料の種類ごとになれさている。光輝顔料としてのアルミニウム顔料には、金属そのもののアルミニウムフレークのほか、色彩顔料や染料で被覆着色されたアルミニウムフレークもあり、上述と同様に使用される。
【００２２】
すなわち、図１に示した例では、色相が赤（Ｒ−Ｃｏｌｏｒ  ａｒｅａ）であるメタリック系の光輝色彩見本票２１を示し、純色の赤に光輝色彩効果を表現するのに最も少ない混入率で光輝顔料を混入した光輝色彩見本１１を左上に配置して、その下（縦軸）に、段階的に黒の塗料を増やした、光輝感が同じで明度が異なる暗清色の光輝色見本１１を明度が段階的に推移するように並べ、これらの右側（横軸）に、段階的に光輝顔料の混入量を増やした、明度が同じで光輝色彩のみを変化させた光輝色彩見本１１を光輝色み感（光輝色彩の色みや、光輝顔料の金属光輝感）が段階的に推移するように並べている。
【００２３】
図示例では、明度階調を６段階、光輝色み感の階調を８段階としているが、その他の数の階調に分けることもできる。各明度階調および各光輝色み感階調は、色相や光輝顔料の種類等に応じて適宜定められる。
【００２４】
また、各明度階調（縦軸）には、左上のものから順に、「１１」、「２２」、……「６６」と、同一符号を２つ並べて構成する明度符号１３が付される。同様に、各光輝色み感階調（横軸）には、左上のものから順に、「ＡＡ」、「ＢＢ」、……「ＨＨ」と、同一符号を２つ並べて構成する光輝色み感符号１４が付されている。これは、組み合わせることで隣接する光輝色彩見本１１との間の中間色を示すことができるようにするためである。
【００２５】
これらの明度符号１３および光輝色み感符号１４と前記の色相を表す色相符号１５を組み合わせたものが、前記識別符号１２となる。色相が赤（色相符号は「１０」）である場合には、識別符号１２は、赤を示す「１０」と、メタリックであることを示す「Ｍ」（たとえば、パール顔料は「Ｐ」）と光輝顔料の種類を示す「Ｗ」（たとえば、着色系は「Ｃ」、干渉色系は「Ｔ」など）とを組み合わせて、「ＭＷ１０−１１ＡＡ」、「ＭＷ１０−６６ＨＨ」などとなる。光輝顔料が複数種類ある場合には、色彩の具体的な特定に際しては、上記「ＭＷ１０−１１ＡＡ」に光輝顔料の特定も必要となる。このため、「ＭＷ１０−１１ＡＡ」に、光輝顔料を特定する顔料符号１６、たとえば「ＡＷ０１」を付加して、「ＭＷ１０−１１ＡＡ−ＡＷ０１」となる。
【００２６】
また、下地を隠す隠蔽性の低い見本については、「●」の隠蔽性注意喚起符号１７を付している。隠蔽性が低いと色彩性能を十分に発揮させることができないためである。隠蔽性注意喚起符号１７の存在によって色の選択においての注意を喚起できる。
【００２７】
前記識別符号１２の概念を説明すると、図２に示したようになる。この図において、色相を示す色相符号１５、つまり前記の例「ＭＷ１０−１１ＡＡ」における「ＭＷ１０」は省略している。また、光輝色彩見本１１がある識別符号１２は四角で囲んでいる。図２では、光輝色彩体系の根幹をなす共通のカラートーンを示しており、これに前述の色相符号および光輝顔料の種類の識別情報を付与することによって、さらに特定のメタリック光輝色彩を特定することができるように意図している。
【００２８】
すなわち、光輝色彩見本１１は光輝色彩の類似順に前述のように段階的に並んでいるので、所望の色がない場合には、それを作る必要がある。このとき、たとえば光輝色み感は「ＡＡ」でよいが、明度が「２２」と「３３」の間であるとよいと考える場合には、「２３ＡＡ」という識別符号１２を決めることができる。同様に、光輝色み感は「ＤＤ」と「ＥＥ」の中間が良く、明度は「３３」と「４４」の中間が良いと考える場合には、「３４ＤＥ」という識別符号１２を決めることができる。
【００２９】
このため、光輝色彩見本１１によって実際に表されている色は勿論のこと、無い色であっても中間値として顕在化させることができる。そして顕在化された色は、識別符号１２に基づいて、塗料や光輝顔料の混入率等が予め作成された前述の調色データを拠り所として得られるので、周知のコンピュータ計量調色を用いて適切に塗料を製造することができる。
【００３０】
また、この光輝色彩見本票２１は、前述のように明度変化させたベースカラーに光輝顔料を加えることによって光輝色彩独特のトーンマトリックス体系を作り出しているので、立体的に変化する光輝色彩でも表現でき、新しい色彩の創造・開発にも役立つ。
【００３１】
なお、上記の光輝色彩見本票２１には、図３に示すような色相（Ｈｕｅ）を示した色彩見本票２２と、図４に示したように光輝顔料の種類と特性を示す光輝顔料注解票２３と、図５〜図９に示したような光輝顔料ごとの違いを示す光輝色彩見本票２４を添付する。
【００３２】
図３の色彩見本票２２には、色相環２２ａを等間隔に１０等分した色彩の色彩見本２２ｂが配設されている。色彩見本票２２の色相環２２ａは、上記の光輝色彩見本票２１に設けられるもよい。図４の光輝顔料注解票２３にも、光輝見本を付するようにしてもよい。
【００３３】
図４の光輝顔料注解票２３では、アルミニウム顔料の粒度（Ｐａｒｔｉｃｌｅ）を縦軸に、白さ（Ｗｈｉｔｅｎｅｓｓ）を横軸にして、どの種類の光輝顔料がどの程度の粒度と白さを有するのかが視覚的に分かり易いように升目上に表している。また、それぞれのアルミニウム顔料について、光を正反射するハイライト部と光反射角度で変化するシェード部とのコントラストを表すパラメータとなるＦｌｉｐ−Ｆｌｏｐも、順に一列に並べて容易に視認できるように表示されている。また、着色アルミニウム顔料については、その色相（Ｈｕｅ）がどの程度であるのかが分かるように順に一列に並べて表示している。
【００３４】
図５は、アルミニウム顔料と黒の混色による光輝色彩の無彩色の明度階調の光輝色彩見本１１が配設された基準票としての光輝色彩見本票２４の平面図である。図中、１４は光輝色み感符号である。明度階調（明度符号１３参照）は、純粋な無彩色と実用性の高い僅かに色みを有するカラードグレーの階調を表すことができる。
【００３５】
図６は、その光輝顔料の種類（縦軸）と色相（横軸）に従って光輝色彩見本１１が配設された光輝色彩見本票２４の平面図である。図中、１５は色相符号である。これにより同一のベースカラーと異なった種類のアルミニウム顔料とを混色することによって、現れてくる質感の違いを観察することができ、所望のカラーイメージと具体的に対照することができる。
【００３６】
図７は、着色アルミニウム顔料と黒の混色による、低明度領域を示す光輝色彩見本１１が配設された光輝色彩見本票２４の平面図である。
【００３７】
図８は、光輝顔料としての着色アルミニウム顔料の種類（縦軸）と色相（横軸）に従って光輝色彩見本１１が配設された光輝色彩見本票２４の平面図である。図中、１５は色相符号である。これにより、着色アルミニウム顔料を色材として使用することにより一般顔料との混色による混色色彩を観察することができ、所望のカラーイメージと具体的に対照することができる。
【００３８】
図９は、光輝顔料としてアルミニウム顔料と着色アルミニウム顔料を混合して用いた場合の、光輝顔料の種類（縦軸）と混入率（横軸）に従って光輝色彩見本１１が配設された光輝色彩見本票２４の平面図である。図中、１４は光輝色み感符号、１６は顔料符号である。
【００３９】
図５〜図８の光輝色彩見本票２４において、縦軸の左端には、光輝顔料の光輝特性を示す光輝見本２４ａを付している。図９の光輝色彩見本票２４においては、縦軸の左右両側にそれぞれ、アルミニウム顔料を用いた光輝見本２４ａと着色アルミニウム顔料を用いた光輝見本２４ａが配設されている。
【００４０】
前述の光輝色彩見本票２１にこのような見本票２２，２３，２４などを添付すると、光輝色彩のイメージを三次元的に把握することが容易にでき、所望する光輝色彩の選定や開発に大きく貢献する。
【００４１】
これらの他に、図１０に示したような光輝色彩見本票２５を添付することもできる。  
図１０に示した光輝色彩見本票２５も、前述の図１に示した光輝色彩見本票２１と同様に、複数の光輝色彩見本１１が外観の類似順に従って縦横に段階的に配設されている。そして、各光輝色彩見本１１には、それぞれ固有の識別符号１２が付され、前記塗料と光輝顔料の種類等を特定できるようにされている。すなわち、識別符号１２ごとに、対応する色の塗料を作製するための調色データが別途に蓄積されている。
【００４２】
光輝色彩見本１１の塗膜厚についても前述と同様で、産業界で主に採用されている平均塗膜厚であるのが好ましい。
【００４３】
図１の光輝色彩見本票２１は、メタリック系の光輝色彩見本票２１であったのに対して、図１０に例示した光輝色彩見本票２５は、光輝顔料がホワイトシルバー系パール顔料を用いたパール系光輝色彩見本票２５である。各光輝色彩見本１１の配列は、縦軸が暗清色の明度、横軸が色相となるように、光輝顔料の種類ごとになれさている。光輝顔料としてのパール顔料には、上記のホワイトシルバー系のほか、着色された着色系や偏光性の干渉色系のものなどもあり、同様に使用される。
【００４４】
すなわち、図１０に示した例では、ホワイトシルバー系パール顔料の一例である「ＰＷ０１」（顔料符号１６参照）を用いたパール系の光輝色彩見本票２５を示し、純色の赤（１０）に所定量の光輝顔料を混入した光輝色彩見本１１を左上に配置して、その下に、段階的に黒の塗料を増やした、明度が異なる暗清色の光輝色彩見本１１を、明度が段階的に推移するように並べ、これらの右側に、色相を段階的に異にした色相の異なる光輝色彩見本１１を色相が段階的に推移するように並べている。
【００４５】
図示例では、明度階調を６段階、色相の階調を１０段階としているが、その他の数の階調に分けることもできる。各明度階調および色相階調は、色相や光輝顔料の種類等に応じて適宜定められる。
【００４６】
また、各明度階調（縦軸）には、左上のものから順に、「１１」、「２２」、……「６６」と、同一符号を２つ並べて構成する明度符号１３が付される。同様に、各色相階調（横軸）には、左上のものから順に、「１０」、「２０」、……「００」と、同一符号を２つ並べて構成する色相符号１５が付されている。これは、前述と同様に、組み合わせることで隣接する光輝色彩見本との間の色を示すことができるようにするためである。なお、色相は色相環を構成するものであるので、両端、すなわち「００」と「１０」の間の色も観念できる。
【００４７】
これらの明度符号１３および色相符号１５を組み合わせたものが、前記識別符号１２となる。すなわち、識別符号１２は、明度を示す「１１」等と色相を示す「１０」等を結合して表される。つまり、「１１１０」、「６６００」などとなる。光輝顔料が複数種類ある場合には、色彩の具体的な特定に際しては、上記「１１１０」等に加えて、光輝顔料の特定も必要となる。このため、「１１１０」に、光輝顔料を特定する顔料符号１６、たとえば「ＰＷ０１」を付加して、「ＰＷ０１−１１１０」等となる。
【００４８】
前記識別符号１２の概念を説明すると、図１１に示したようになる。この図において、光輝色彩見本１１がある符号は四角で囲んでいる。図１１では、色相とカラートーンとの関係によってもたらされる基本的な光輝色彩体系を示しており、これに光輝顔料の識別情報を付与することによって、さらに特定のパール光輝色彩を特定することができるように意図している。
【００４９】
すなわち、光輝色彩見本１１は類似順に前述のように段階的に並んでいるので、所望の色がない場合には、それを作る必要がある。このとき、たとえば色相は「１０」でよいが、明度が「２２」と「３３」の間であるとよいと考える場合には、「２３１０」という識別符号１２を決めることができる。同様に、色相は「５０」と「６０」の間が良く、明度は「３３」と「４４」の間が良いと考える場合には、「３４５６」という識別符号１２を決めることができる。また、色相は「１０」と「００」の間が良く、明度は「３３」と「４４」の間が良いと考える場合には、「３４０１」という識別符号１２を決めることができる。
【００５０】
このため、光輝色彩見本１１によって実際に表されている色は勿論のこと、無い色であっても中間値として顕在化させることができる。そして顕在化された色は、識別符号１２に基づいて、塗料や光輝顔料の混入率等が予め作成された前述の調色データを拠り所として得られるので、周知のコンピュータ計量調色を用いて塗料を製造することができる。
【００５１】
また、この光輝色彩見本票２５は、明度変化させたベースカラーに光輝顔料を加えることによって光輝色彩独特のトーンマトリックス体系を作り出しているので、立体的に変化する光輝色彩でも表現でき、新しい色彩の創造・開発にも役立つ。
【００５２】
なお、上記の光輝色彩見本票２５には、図１２に示したように光輝顔料の種類と特性を示す光輝注解票２６と、図１３〜図１５に示したような光輝顔料ごとの違いを示す光輝色彩見本票２７を添付する。
【００５３】
図１２の光輝顔料注解票２６では、ホワイトシルバー系パール顔料の粒度（Ｐａｒｔｉｃｌｅ）を縦軸に、白さ（Ｗｈｉｔｅｎｅｓｓ）を横軸にして、どの種類の光輝顔料がどの程度の粒度と白さを有するのかが視覚的に分かり易いように升目上に表している。また、着色パール顔料については、その色相（Ｈｕｅ）がどの程度であるのかが分かるように順に一列に並べて表示している。干渉色パール顔料についても、その偏光して現れる色相（Ｈｕｅ）がどの程度であるのかが分かるように一列に並べて表示されている。この光輝顔料注解票２６にも、光輝見本を付するようにするとなお良い。
【００５４】
図１３は、光輝顔料としてホワイトシルバー系パール顔料の種類（縦軸）と色相（横軸）に従って光輝色彩見本１１が配設された基準票としての光輝色彩見本票２７の平面図である。図中、１５は色相符号である。図１４は、光輝顔料としての着色パール顔料の種類（縦軸）と色相（横軸）に従って光輝色彩見本１１が配設された光輝色彩見本票２７の平面図である。図中、１５は色相符号である。図１５は、光輝顔料として干渉色パール顔料を用いた場合の、光輝顔料の種類（縦軸）と色相（横軸）に従って光輝色彩見本１１が配設された光輝色彩見本票２７の平面図である。図中、１５は色相符号である。図１２〜図１５の光輝色彩見本票２７において、縦軸の左端には、光輝顔料の光輝特性を示す光輝見本２７ａを付している。この光輝見本２７ａは、下地を左右に２分割して、一方の下地を白、他方の下地を黒としている。
【００５５】
前述の光輝色彩見本票２５にこのような見本票２６，２７などを添付すると、光輝色彩のイメージを三次元的に把握することが容易にでき、所望する光輝色彩の選定や開発に大きく貢献する。
【００５６】
以上のような光輝色彩見本票２１等（以下、「見本票」という。）は、一つにまとめられ、あるいはいくつかに分冊された状態で綴じられて、たとえば図１６に示したような光輝色彩見本帳３１とされる。
【００５７】
図１６に示した光輝色彩見本帳３１は、いわゆるブックタイプであり、綴じ具３２ａを備えた外装部材３２に保持される。保持に際しては、綴じ具３２ａに透明フイルムからなる袋シート３３が着脱自在に綴じられ、この袋シート３３に、抜き差しできるように前記見本票３４が収納される。
【００５８】
袋シート３３によって、見本票３４の光輝色彩見本１１が汚れなどから保護されるとともに、必要に応じて見本表３４を簡単に取り出すことができる。このため、光輝色彩を十分に確認することができ、光輝色彩見本１１特有の三次元的発色効果を把握しやすい。
【００５９】
また、前述のように独特な三次元的発色効果を有する光輝色彩のイメージを容易に把握できるようにすることができ、しかも広がりのあるイメージを把握できるので、従来のような労力や費用の無駄を省き、簡易迅速に所望の光輝色彩を選定し製造することができる。
【００６０】
さらに、光輝色彩イメージの把握が的確にできるため、光輝性を相対的に比較判断することも可能になる。このため、光輝色彩の選択の幅が大幅に広がり、特に新しい色彩の開発に好適に利用できる。この結果、工業デザインの発展に多大な貢献を期待できる。
【００６１】
なお、光輝色彩見本帳３１は、たとえば、図１７に示したような扇子状の、いわゆるファンデッキタイプの見本帳にすることもできる。このとき、図１７（ａ）に示した光輝色彩見本帳３１のように、１枚の見本票３４に、たとえば明度や光輝顔料の混入率等の条件ごとに配列された複数の光輝色彩見本１１を付することも、図１７（ｂ）に示した光輝色彩見本帳３１のように１枚の見本票３４に１色の光輝色彩見本１１を付することもできる。また、これらのように台紙３４ａに光輝色彩見本１１を貼り付けて見本票３４を構成するのではなく、図１７（ｃ）に示した光輝色彩見本帳３１のように、台紙３４ａなしで光輝色彩見本１１のみで見本票３４を構成することもできる。図１７（ｂ）（ｃ）の場合には、見本票３４を綴じるときに、前述のような明度や光輝顔料の混入率などが段階的に推移するように重ねられる。
【００６２】
そのほかに、単色ごとのカードタイプなどの他の形態とすることも可能である。カードタイプの光輝色彩見本帳３１は、例えば図１８に示したように多数のカードタイプの見本票３４（光輝色彩見本１１）を適宜整列させてケース３５に収納して構成できる。図中、３５ａは仕切りを示す。単色ごとのカードタイプであれば、光輝色彩見本１１の移動や組み合わせが自由であるので、光輝色彩を含む各種の組み合わせ色によるデザインや意匠がイメージし易くなる。
【００６３】
前述の光輝色彩見本票２１，２５等では、中間色を示すことのできる識別符号１２を用いた例を示したが、たとえば、識別符号を３桁ずつの符号の組み合わせで構成すれば、中間色のほかに、いずれか一方に寄った色も特定し、製造することができる。この偏向する中間色彩を求めるために、分数による数式や特定の記号を設定することもできる。
【符号の説明】
【００６４】
１１…光輝色彩見本
１２…識別符号
１７…隠蔽性注意喚起符号
２１，２４，２５，２７…光輝色彩見本票
２２ａ…色相環
３１…光輝色彩見本帳
【手続補正２】
【補正対象書類名】特許請求の範囲
【補正対象項目名】全文
【補正方法】変更
【補正の内容】
【特許請求の範囲】
【請求項１】
塗料に光輝顔料を混入して得た光輝塗料からなる光輝色彩見本を備えた光輝色彩見本票であって、
前記塗料が、純色及び暗清色の有彩色塗料であるとともに、
前記光輝顔料がメタリック発色のためのものであり、
明度を段階的に推移させた前記塗料と、混入率を段階的に増やした前記光輝顔料で、光輝色み感が段階的に推移する複数の光輝色彩見本を備え、
これら光輝色彩見本が、明度及び／又は光輝色み感に従って光輝色彩の推移順に段階的に配設され、
前記各光輝色彩見本には、これら光輝色彩見本の色を識別すべく前記明度と前記光輝色み感を示す符号からなる識別符号が付された
光輝色彩見本票。
【請求項２】
前記光輝色彩見本が縦軸と横軸の２軸に沿って明度及び光輝色み感に従って配設された
請求項１に記載の光輝色彩見本票。
【請求項３】
前記識別符号が、同一符号を２つ並べて構成される前記明度と前記光輝色み感を示す符号を２つずつ並べて構成された
請求項１または請求項２に記載の光輝色彩見本票。
【請求項４】
色相ごとに設けられた
請求項１から請求項３のうちいずれか一項に記載の光輝色彩見本票。
【請求項５】
前記請求項１から請求項４のうちいずれか一項に記載の光輝色彩見本票が複数設けられた
光輝色彩見本帳。
【請求項６】
明度と色相を段階的に推移させた純色及び暗清色の有彩色塗料に対して、パール発色又は干渉色発色の光輝顔料を混入して得た光輝塗料からなる光輝色彩見本が、明度及び／又は色相に従って光輝色彩の推移順に段階的に配設されるとともに、当該光輝色彩見本の色を識別すべく前記明度と前記色相を示す符号からなる識別符号を有する光輝色彩見本票が備えられた
請求項５に記載の光輝色彩見本帳。
【請求項７】
前記光輝色彩見本票が、前記光輝顔料の種類ごとに設けられた
請求項５または請求項６に記載の光輝色彩見本帳。
【請求項８】
色相環が添付された
請求項５から請求項７のうちのいずれか一項に記載の光輝色彩見本票帳。
【国際調査報告】
2011001477.tif 000022
2011001477.tif 000023
2011001477.tif 000024
2011001477.tif 000025
2011001477.tif 000026
2011001477.tif 000027
2011001477.tif 000028
2011001477.tif 000029
2011001477.tif 000030
2011001477.tif 000031
2011001477.tif 000032